(57)【要約】【課題】  空間を効率的に活用することができ、清掃性および美観を向上させることができ、かつキッチンに洗面台の機能を兼ね備えさせることができる水切り棚を提供する。【解決手段】  本発明に係る水切り棚の代表的な構成は、キッチン２００のシンク２１６上方に取り付けられた水切り棚１００において、当該水切り棚の前面に開閉可能に備えられた扉１２２と、扉の前面に配置された鏡１２４と、扉の下端より上方に設けられた格子底板１４０と、格子底板の下方かつ背板１３０側に取り付けられた照明器具１４８と、格子底板の下方かつ照明器具の上方に取り付けられ、手前側に向かって下降するように傾斜するカバー体１５０と、を備えたことを特徴とする。【選択図】  図２
2010046369.tif 000002
【特許請求の範囲】
【請求項１】
キッチンのシンク上方に取り付けられた水切り棚において、
当該水切り棚の前面に開閉可能に備えられた扉と、
前記扉の前面に配置された鏡と、
前記扉の下端より上方に配置された格子状の底板と、
前記格子状の底板の下方かつ背板側に取り付けられた照明器具と、
前記格子状の底板の下方かつ前記照明器具の上方に取り付けられ、手前側に向かって下降するように傾斜するカバー体と、を備えたことを特徴とする水切り棚。
【請求項２】
前記カバー体は、その前端がキッチンのシンクの後壁より手前側に位置しており、傾斜に沿って流れる水滴をシンク内へ落下させることを特徴とする請求項１に記載の水切り棚。
【請求項３】
キッチンのシンクの後壁が奥行き方向に段差を有する場合において、前記カバー体は左右方向において前記シンクの最後壁に向かって下降するように傾斜していることを特徴とする請求項２に記載の水切り棚。
【請求項４】
当該水切り棚は、キッチンの上方に設置された吊戸棚の下側に取り付けられていることを特徴とする請求項１に記載の水切り棚。
【請求項５】
前記鏡の下端は支持金具によって支持されており、
前記支持金具は、前記扉に固定され、前記鏡の下端を回り込んで該鏡の前面の一部を覆うＵ字状をなすことを特徴とする請求項１に記載の水切り棚。
【発明の詳細な説明】
【技術分野】
【０００１】
本発明は、キッチンの上方に取り付けられる水切り棚に関する。
【背景技術】
【０００２】
キッチンの周囲には、調理用具や食器などを収納しておくために、できるだけ多くの収容スペースを設けることが望まれている。しかし住宅の事情によってはキッチンに希望通りの占有面積を割り当てることができない場合が多く、効率的な空間の利用について様々な工夫がなされている。従来からもワークトップの下のキャビネットにおいて効率的かつ機能的な収納を設けたり、キッチンの上方に吊戸棚を設けて収納力を向上させたりしている。
【０００３】
キッチンにおいて洗った食器を乾燥させるために、水切り棚を利用する場合が多い。水切り棚とは、格子状の底板と水受けの皿を備えており、濡れた食器をしばらく静置することにより水滴を切るための棚である。一般に水切り棚は独立した棚としてワークトップの上に載置される。これに対し、上記のような省スペースのための機能向上の一つとして、シンクの上方に水切り棚が備え付けられる場合がある。これにより、シンク上方の空間を効率的に利用でき、ワークトップ上に水切り棚を載置するスペースが不要となるため、キッチンが小さくても作業スペースを広く確保することができる。また、シンクの排水機能を利用できるため水受け皿が不要となり、水受け皿を清掃する手間を軽減できるという利点もある。特に単身者向け住宅用のように小型のキッチンにおいては、ワークトップに水切り棚を設置するほどのスペースがないため、シンク上方に水切り棚を備え付けることは有効である。
【０００４】
特許文献１には、収納用の吊戸棚の下部に水切り棚を設けた構成が開示されている。特許文献１に記載の水切り棚は、縦桟が平行に設けられた下棚を固定設置し、その上に多数の横桟がほぼ平行に設けられた上棚を乗せて網状の桟にして使用する構成である。特許文献１によれば、上棚と下棚とを分離させると縦桟または横桟のみとなるため、清掃が容易であるとしている。
【０００５】
また特許文献２においては、水切り棚の前面と下面とを移動する回転式のカバー（板状の部材）が開示されている。特許文献２によれば、カバーが水切り棚の前面にあるときは食器に対する目隠しとなり、下面にあるときは水受け皿として機能すると述べている。
【特許文献１】特開平６−２６９３２６号公報
【特許文献２】特開２００１−１０４０８０号公報
【発明の開示】
【発明が解決しようとする課題】
【０００６】
しかし、上記特許文献１ようにシンクの上方に格子状の棚を設けた構成においては、水切り棚のあらゆる位置から水滴が落下することになる。これに対しシンクは、確かに排水が主たる機能ではあるが、水栓を設けたり小物を置いたりするための平面部分が形成されていることが通常であり、壁際まで均一の排水性能を有しているとは限らない。このような場所に恒常的に洗い水が滴下すると、水跡の汚れが目立ちやすくなってしまうという問題がある。
【０００７】
また、特許文献２においては、回転式のカバーが目隠しと水受け皿の機能を兼ねており、目隠しとして使用する際には水切り棚の水受け皿として使用することができず、逆に水受け皿を使用する場合には前面を覆うことができない。このため、洗った食器を置いて、水切り棚が最も雑然としている間は目隠しができないという問題がある。また、同一のカバーによって目隠しと水受け皿を兼ねさせると、水滴で汚れたカバーによって目隠しをすることになり、美観がよいとはいいがたいものである。
【０００８】
さらに、シンクの上方に水切り棚を設置することが特に有効となるような住宅、すなわち単身者向けのように小さな住宅においては、洗面所を設けるスペースが取れない場合がある。洗面所の定義は必ずしも一義的ではないが、洗面台、すなわち鏡と水栓（給水手段）とボウル（排水手段）が備えられている場所であると捉えることができる。ここで、キッチンに鏡を備えることにより、洗面台の代替として使用することができる可能性がある。
【０００９】
そこで本発明は、空間を効率的に活用することができ、清掃性および美観を向上させることができ、かつキッチンに洗面台の機能を兼ね備えさせることができる水切り棚を提供することを目的とする。
【課題を解決するための手段】
【００１０】
上記課題を解決するために、本発明に係る水切り棚の代表的な構成は、キッチンのシンク上方に取り付けられた水切り棚において、当該水切り棚の前面に開閉可能に備えられた扉と、扉の前面に配置された鏡と、扉の下端より上方に配置された格子状の底板と、格子状の底板の下方かつ背板側に取り付けられた照明器具と、格子状の底板の下方かつ照明器具の上方に取り付けられ、手前側に向かって下降するように傾斜するカバー体と、を備えたことを特徴とする。
【００１１】
上記構成によれば、キッチンのシンク上方を水切り棚として使用でき、空間を効率的に活用し、ワークトップ上の作業スペースを広く確保することができる。扉の前面に鏡を有することにより、キッチンに洗面台の機能を兼ね備えることができる。格子状の底板が扉の下端より上方に設けられていることにより、扉の下端の裏側に空間が形成されるため、取手を設けることなく扉を開閉することができる。水切り棚の下部に照明器具を備えていることにより、水仕事の際に手元を明るくすることができ、快適に作業を行うことができる。カバー体が手前側に向かって傾斜していることにより、カバー体の水跡の汚れを防止し清掃性及び美観を向上させることができる。またカバー体は水滴をシンクに導くのみでなく、照明器具に対する防滴機能も兼ね備えることができる。
【００１２】
また、カバー体は、その前端がキッチンのシンクの後壁より手前側に位置しており、傾斜に沿って流れる水滴をシンク内へ落下させるよう構成することが好ましい。これにより確実に水滴をシンク内に導くことができ、シンクの水跡の汚れを防止し清掃性および美観を向上させることができる。
【００１３】
またキッチンのシンクの後壁が奥行き方向に段差を有する場合において、カバー体は左右方向においてシンクの最後壁に向かって下降するように傾斜していることが好ましい。すなわちカバー体は、奥行き方向において手前側に向かって下降するよう傾斜すると共に、左右方向においてシンクの後壁が奥まっている位置に向かって下降するように傾斜している。これにより、確実に水滴をシンク内へ落下させることができると共に、水滴が落ちる位置を限定的にすることにより、さらに清掃性を向上させることができる。
【００１４】
当該水切り棚は、キッチンの上方に設置された吊戸棚の下側に取り付けられていてもよい。この場合において水切り棚は、建物壁面に取り付けられていても良いし、吊戸棚の底板の下面に取り付けられていても良い。このように吊戸棚の下側に取り付けられていることにより、吊戸棚の収納力を阻害することなく水切り棚を設置することができ、かつ水切り棚を目線の高さ、すなわち前面に配置した鏡によって自己を映しやすい高さとすることができる。また特に吊戸棚の底板に取り付けた場合には、キッチン後方の建物壁面に防水のタイル処理が行われている場合や、窓が設置されている場合にも、水切り棚を支障なく取り付けることができる。
【００１５】
鏡の下端は支持金具によって支持されており、支持金具は、扉に固定され、鏡の下端を回り込んで該鏡の前面の一部を覆うＵ字状をなしていてもよい。これにより、支持金具は鏡の重量を支持すると共に、鏡の前面側に触っても指紋の付かない領域を形成することができる。これにより、開くときには扉の裏側から押せば良く、閉じるときには扉の前面の支持金具を押せばよいため、取手がなくとも容易に開閉をすることができると共に、指紋による汚れを防止することができる。したがって前面の鏡の面に余分な突起物を設ける必要がなく、洗面台として利用するに際して視界を遮るものがないため、好適に利用することができる。
【発明の効果】
【００１６】
本発明にかかる水切り棚は、空間を効率的に活用することができ、清掃性および美観を向上させることができ、かつキッチンに洗面台の機能を兼ね備えさせることができる。
【発明を実施するための最良の形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は本実施形態に係る水切り棚を説明する図である。図１に示すように、水切り棚１００は、キッチン２００のシンク２１６の上方に取り付けられている。またキッチン２００の上方には収納用の吊戸棚３００が備えられており、水切り棚１００は吊戸棚３００の下側に取り付けられている。これにより、キッチン２００のシンク２１６上方を水切り棚１００として使用でき、空間を効率的に活用し、ワークトップ２１０上の作業スペースを広く確保することができる。以下、それぞれについて説明する。
【００１９】
キッチン２００は、上面にワークトップ２１０を備えている。ワークトップ２１０には作業スペース２１２、コンロ２１４、シンク２１６が配置されている。シンク２１６は排水手段であり、給水手段である水栓２１８が備えられている。
【００２０】
吊戸棚３００は、キッチン２００の上方の天井近傍の建物壁面に設置されている。またコンロ２１４の上方には、レンジフード３１０が吊戸棚３００と併設されている。
【００２１】
水切り棚１００は、上述のキッチン２００と吊戸棚３００の間に、吊戸棚３００寄りに（吊戸棚３００と概ね接する位置に）設置されている。このように水切り棚１００が吊戸棚３００の下側に取り付けられていることにより、吊戸棚３００の収納力を阻害することなく水切り棚１００を設置することができ、かつ、水切り棚１００を通常の身長の使用者が立って対面した際の目線の高さとすることができる。
【００２２】
図２は水切り棚の４面図である。図２に示すように、水切り棚１００は、扉１２２、側板１２８、壁に固定するための背板１３０、天板１３２によって箱形が形成されている。側板１２８の前面側かつ上部には、補強のための梁１３６がわたされている。背板にはねじ穴１３０ａが設けられており、建物壁面に固定する構成となっている。
【００２３】
扉１２２は、水切り棚１００の前面に開閉可能に備えられている。扉１２２は側辺を蝶番１２６によって側板１２８に連結されており、略水平方向に回動して開閉する。また梁１３６の前面には、扉１２２を閉じる際の衝撃を緩和するように、パッキン１３８が設けられている。パッキン１３８は例えばゴムやウレタン等の弾性素材を用いることができる。
【００２４】
扉１２２の前面かつ全面には、鏡１２４が配置されている。鏡１２４は、上端および下端を支持金具１５２によって支持されている（図３参照）。上述したように、水切り棚１００は使用者の目線の高さに設置されている（図１参照）。したがって水切り棚１００の前面に鏡を備えることにより、キッチンに立った使用者自身を鏡１２４に映すことができる。これにより、洗面台の要素である鏡（鏡１２４）と給水手段（水栓２１８）と排水手段（シンク２１６）とを揃えることができ、キッチン２００に洗面台の機能を兼ね備えることができる。
【００２５】
ここで、シンク２１６の上方に水切り棚１００を備え付ける構成は、ワークトップ２１０の面積が狭いキッチン２００において有効であり、すなわち単身者向けのように小さな住宅において特に有効である。このような住宅では洗面所を設けるスペースが取れない場合があるが、水切り棚１００に鏡１２４を備えることにより、キッチン２００を洗面台の代替として使用することができるため、使用者（居住者）の利便性を向上させることができる。
【００２６】
図３は水切り棚の内部を説明する部分断面斜視図である。図２（ｃ）および図３に示すように、水切り棚１００の内部には、扉１２２の下端より上方に配置された格子状の底板（以下、「格子底板１４０」という。）と、乾燥した道具などを置いておく平板状の棚板１３４が設けられている。
【００２７】
格子底板１４０は水切りを行うための棚段であり、複数のパイプ１４２を並列させて格子を構成している。格子底板１４０のパイプ１４２の端部はブロック１４４によって固定されており、側板１２８に取り付けられた支持具１４６が撓むことによって着脱可能に支持される。これにより格子底板１４０は取り外して容易に洗浄することができ、水切り棚１００内部を常に清潔に保つことができる。
【００２８】
棚板１３４は、背板１３０と側板１２８に固定される。棚板１３４は水切り棚１００の奥行きのうち背板１３０側の半分程度の奥行きとなっており、水切り棚１００の手前側半分は格子底板１４０から天板１３２まで貫通した吹き抜け構造となっている。これにより、ポットなどの背の高い洗い物も水切りを行うことができる。
【００２９】
ここで、格子底板１４０が扉１２２の下端より上方に設けられていることにより、図２（ｃ）に示すように扉１２２の下端の裏側に空間１２２ａが形成される。この空間１２２ａを利用して、扉１２２の開閉を行うことができる。
【００３０】
図４は扉を開閉する様子を説明する図である。扉１２２を開くときには図４（ａ）に示すように空間１２２ａに手を入れて扉１２２の裏側から押せば良く、閉じるときには図４（ｂ）に示すように鏡１２４の下端を覆う支持金具１５２を押せばよい。
【００３１】
ここで図４（ｂ）に示すように、支持金具１５２は、扉に固定される固定部１５２ａと、鏡１２４の下端を支持する載置部１５２ｂと、鏡１２４の前面に回り込んでその一部を覆う係止部１５２ｃとからなり、全体として断面がＵ字状をなしている。そして鏡１２４の上端および下端を覆うように支持することにより、鏡１２４を支持して扉１２２に固定している。固定部１５２ａは図に示すようにボルト等によって固定してもよいが、接着剤や両面テープを用いて固定してもよい。
【００３２】
係止部１５２ｃは鏡の脱落を防止する役割を有しているが、特に下側に配置された支持金具１５２の係止部１５２ｃは、同時に扉１２２を閉める際の押圧部としての役割も有している。支持金具１５２はステンレス鋼やアルミニウムなどの金属、または樹脂によって形成することができるが、素手で触ることを考慮して、指紋が付かないような表面処理を施すことが好ましい。表面処理としては、表面を粗くしたり、表面エネルギーが低く汚れにくいコーティングを施すことができる。
【００３３】
上記構成によれば、取手がなくとも容易に扉１２２を開閉をすることができると共に、指紋による汚れを防止することができる。したがって前面の鏡１２４の面に余分な突起物を設ける必要がなく、洗面台として鏡１２４を使用するに際して視界を遮るものがないため、好適に利用することができる。また取手を不要とすることから、部品点数の減少による生産コストの低減も図ることができる。
【００３４】
格子底板１４０の下方かつ背板１３０側には、下方を照らす照明器具１４８が取り付けられている。照明器具１４８は、シンク２１６で作業する人の手元を照らすものであり、水仕事の際に手元を明るくすることができ、快適に作業を行うことができる。照明器具１４８としては一般的な蛍光灯などを使用することができる。なお鏡１２４が目線の高さにあることから照明器具１４８は目線よりも下にあり、扉１２２およびカバー体によって照明器具１４８を直視することを防止している。
【００３５】
格子底板１４０の下方、かつ照明器具１４８の上方には、カバー体１５０が取り付けられている。すなわちカバー体１５０は、水切り棚１００の奥行き方向において背板１３０側に配置されている。カバー体１５０は、奥行き方向において手前側に向かって下降するように傾斜している。これにより、カバー体１５０の上に水滴が溜まることなくシンク２１６に向かって排水することができ、カバー体１５０に汚れが溜まることがない。したがって、カバー体１５０の清掃性及び美観を向上させることができる。またカバー体１５０は水滴をシンクに導くのみでなく、照明器具１４８に対する防滴機能も兼ね備えており、これにより水切り棚１００の下部に電装品である照明器具１４８を取り付けることを可能としている。
【００３６】
図５はカバー体とシンクの関係を説明する図である。図５（ａ）に示すように、カバー体１５０は、その前端１５０ａがキッチン２００のシンク２１６の後壁２１６ａより手前側に位置している。このように、シンク２１６の後ろ側に排水性能の低い部分（例えば、水栓を設けたり小物を置いたりするための平面部分２１６ｂ）が形成されている場合に、シンク２１６の後壁２１６ａ（換言すれば、平面部分２１６ｂの前端）よりも手前側にカバー体１５０の前端１５０ａを位置させることにより、確実に水滴をシンク内に導くことができる。これによりシンク２１６の後方の平面部分２１６ｂに水が溜まることがなく、シンク２１６の水跡の汚れを防止し清掃性および美観を向上させることができる。
【００３７】
また図５（ｂ）に示すように、カバー体１５０に左右方向においてもさらに傾斜を設けることにより、シンク２１６内の任意の位置に水滴を落下させることができる。図５（ｂ）では、傾斜最下点１５０ｂを水栓２１８の上方からずらして設定し、水滴が水栓に落下しないように設定している。これにより、水滴が水栓に当たって飛散することを防止し、さらにシンク２１６の清掃性及び美観を向上させることができる。
【００３８】
図６はシンクの後壁が奥行き方向に段差を有する場合におけるカバー体とシンクの関係を説明する図であって、図６（ａ）はシンクの中央部に最後壁がある例を示す図、図６（ｂ）はシンクの左右方向の両脇に最後壁がある例を示す図である。
【００３９】
図６（ａ）に示すシンク２２０は、シンク２２０の後壁２２０ａの略中央に水栓２１８を備えると共に、水栓２１８の取り付け位置の周囲に、上方に向かって広がる左右対称の輪郭を有し、上方に向かうにつれて後退している傾斜面２２０ｂを備えている。
【００４０】
このようにシンクの後壁２２０ａが奥行き方向に段差を有する場合には、カバー体１５０の前端１５０ａは最後壁である傾斜面２２０ｂよりも手前側に位置させると共に、左右方向の傾斜最下点１５０ｂを傾斜面２２０ｂに向かって傾斜させることが好ましい。これにより、確実に水滴をシンク２２０内へ落下させることができると共に、水滴が落ちる位置を限定的にすることにより、さらに清掃性および美観を向上させることができる。
【００４１】
図６（ｂ）に示すシンク２３０は、シンク２３０の後壁の略中央に水栓２１８を備えると共に、水栓の取り付け位置の周囲のみが平面部分２３０ａとなっている。そして平面部分２３０ａに対応する後壁２３０ｂに対し、その左右方向の両脇には後壁２３０ｂより後退した最後壁２３０ｃが形成されている。
【００４２】
このような場合においても、カバー体１５０の前端１５０ａは最後壁２３０ｃよりも手前側に位置させると共に、左右方向の傾斜最下点１５０ｂを最後壁２３０ｃに向かって傾斜させることにより、清掃性および美観を向上させることができる。
【００４３】
なお、上記実施形態においては、水切り棚１００は背板１３０を介して建物壁面に取り付けるものと説明した（図２（ｄ）参照）。しかし、水切り棚１００を吊戸棚３００の底板の下面に取り付けても良い。
【００４４】
図７は水切り棚１００を吊戸棚３００の底板３０２の下面に取り付けた例を示す図である。これにより、キッチン２００の後方の建物壁面に防水のタイル処理が行われている場合や、窓が設置されている場合にも、水切り棚１００を支障なく取り付けることができる。
【００４５】
また上記実施形態では、側板１２８、背板１３０、天板１３２などの板材を用いるように説明したが、ステンレスパイプ等を用いたフレームによって枠体を構成してもよい。これにより通気性が向上するため、より短い時間で食器や水洗いした道具等を乾燥させることができる。この場合において、照明器具１４８に対する配線は、枠体を構成するパイプの中を挿通させることが好ましい。
【００４６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４７】
本発明は、キッチンの上方に取り付けられる水切り棚として利用可能である。
【図面の簡単な説明】
【００４８】
【図１】本実施形態に係る水切り棚を説明する図である。
【図２】水切り棚の４面図である。
【図３】水切り棚の内部を説明する部分断面斜視図である。
【図４】扉を開閉する様子を説明する図である。
【図５】カバー体とシンクの関係を説明する図である。
【図６】シンクの後壁が奥行き方向に段差を有する場合におけるカバー体とシンクの関係を説明する図である。
【図７】水切り棚を吊戸棚の底板の下面に取り付けた例を示す図である。
【符号の説明】
【００４９】
１００…水切り棚、１２２…扉、１２２ａ…空間、１２４…鏡、１２６…蝶番、１２８…側板、１３０…背板、１３０ａ…ねじ穴、１３２…天板、１３４…棚板、１３６…梁、１３８…パッキン、１４０…格子底板、１４２…パイプ、１４４…ブロック、１４６…支持具、１４８…照明器具、１５０…カバー体、１５０ａ…前端、１５０ｂ…傾斜最下点、２００…キッチン、２１０…ワークトップ、２１２…作業スペース、２１４…コンロ、２１６、２２０、２３０…シンク、２１６ａ…後壁、２１６ｂ、２３０ａ…平面部分、２１８…水栓、２２０ａ、２３０ｂ…後壁、２２０ｂ…傾斜面、２３０ｃ…最後壁、３００…吊戸棚、３０２…底板、３１０…レンジフード
【図１】
2010046369.tif 000003
【図２】
2010046369.tif 000004
【図３】
2010046369.tif 000005
【図４】
2010046369.tif 000006
【図５】
2010046369.tif 000007
【図６】
2010046369.tif 000008
【図７】
2010046369.tif 000009